Podtech/llm-jp-corpus-v4-ja_patent huggingface dataset:
(57)【要約】      （修正有）【課題】児童の成長に合わせて教材を補助し、お道具の変化に対応でき、しかも、各種教材補助道具を安全かつ確実な保管を可能とするお道具バッグを提供する。【解決手段】本お道具バッグは、かばんを構成する部品として４つの部材から構成し、内ポケットの製作改良により、各学年の児童が求めるお道具バッグの収納機能を変えることが出来る構造にし、収納したお道具バッグを机の脚部に固定するベルトを付帯させ、バッグ内の収容物を安全に保管・保持する構造を可能とした。【選択図】図１
0003175311.tif 000002
【実用新案登録請求の範囲】
【請求項１】
学童のランドセルを補完するかばん型道具入れで、表前と表うしろの対の面体を有するもので、上部には対になる手提げ用ベルトが２点により支持され、対の面体の内側には、はさみ及び糊、三角定規、家庭科用裁縫道具、音楽の時間に使用する笛及び楽器類、お絵かき道具等を収容するための多目的収容空間を有し、縦に収納する道具である笛などは笛ループを設置し、かばん本体の上端開口部中心には、ベルトによる止具が備えられた道具かばんであって、かばん本体両側面におけるマチ部は、通気性のよいメッシュ地を使用しマチ部の上端部に、幅方向に張る保形部が設けられた形状を特徴とする道具かばん。
【請求項２】
請求項１の道具かばんの表うしろ面体上部には、机の片側脚部に固定するベルトを有し、道具かばんは机の袖側に吊り下げて保持使用するが、道具かばんは吊り下げられた状態で、人の通行による衝撃から、内容物が飛散することを防ぐ目的でベルトが装着され、このベルトにより、机の脚部に固定される機能を持つことを特徴とする道具かばん。
【考案の詳細な説明】
【技術分野】
【０００１】小学校では、ランドセルでは通常教科書や参考書、ノート類、筆記具類で満杯と成り、他の教材を収納する余裕がなく、現在、レッスンバック（お稽古バック）、お道具袋、お道具箱を使っています。
【背景技術】
【０００２】お道具バックは、時にはお絵かき道具を収納するバックであったり、お習字道具を収納するバックであったり、音楽授業の各種楽器を収納するバックであったりするため、バックにはさまざまな機能を求める児童の声があった。
【先行技術文献】
【特許及び実用新案登録文献】
【０００３】実用新案登録第３１６６８４１号等、お道具バックに関する文献は散見されるが、主な請求項目の特徴はバック形態に関するもの、バックの製造に関するものと二分される。
【考案の開示】
【０００４】本考案が開示する点は、お道具かばんを構成する部品点数の少なさにあり、しかも、布地素材を選ばないで、機能的に収納し、収納する各種道具類を安全に保管・保持することを可能とする技術を獲得できた。
【考案が解決しようとする課題】
【０００５】お道具バックは、児童が学年に合わせて必要となる補助教材が変化していくが、高学年の児童になるほど、お道具バックに求められる機能が多くなり、しかも、各種道具類を安全に保持・保管すること並びにコンパクトに収納することにより、整理整頓を意識した収納に対する配慮が求められており、この機能を如何に実現するか課題になっていた。
【課題を解決するための手段】
【０００６】そこで、本考案のお道具バックは、かばんを構成する部品として４つの部材から構成し、内ポケットの製作改良により、各学年の児童が求める、お道具バックの収納機能を変えることが出来る構造にし、収納したお道具バックを机の脚部に固定するベルトを付帯させ、バック内の収容物を安全に保管・保持する構造を可能として、解決することができた。
【考案の効果】
【０００７】本考案のお道具バックにより、児童の成長に合わせて教材を補助する、お道具の変化に対応でき、しかも、各種教材補助道具を、安全かつ確実な保管を可能とする複次効果を得ることが出来きた。
【考案を実施するための最良の形態】
【０００８】本考案のお道具バックは、二種類の布地を使用するが、一つは帆布ないしはジーンズ地、一つは網目布を用い、帆布ないしはジーンズ地はカバンの両面サイドと底部を構成し、網目布はバック側面まち部を構成する。他の手提げベルト部、バックの止め具用ベルト部は帆布ないしはジーンズ地を使用することが望ましい。
【実施例】
【０００９】実施例を図１にて説明すると、ａはお道具バックＸの表前側からの斜視図であるが、手提げベルト部１１０が対で装備され、バックの入口を止めるベルトにより金具により閉塞された状態であり、サイドまち部１００は上部の方が幅広く、収納物の量に対応できるよう、幅方向に張る保形部を形成している。また、ｂは学校の児童机Ｙの片側に、各種持ち物を吊り下げるフックにお道具バックＸを掛けた時、児童机Ｙの脚部Ｚにお道具バックＸを固定するベルト１０の施工態様を示している。【００１０】図２において、お道具バックＸの内側収納スペースの特長を示しており、収納スペースは各学年で異なる教材補助道具に対応できるよう、前側内ポケットの配列状況、うしろ内ポケットの配列状況等、柔軟に加工できる態様とするのである。【００１１】うしろ内ポケットの上部には、音楽の授業で使用する縦笛等、縦に収納する道具を保持・保管できるよう、笛立てループを施した。【００１２】図３にて説明しますと、児童机Ｙの片側に装着されるフックに対して、本考案のお道具バックＸが吊り下げられているが、児童机脚部Ｚにお道具バックＸを固定し、収納されている各種教材補助道具を片方の手提げベルトを握り、開放することがまち幅をとったため可能となり、収納された道具類を容易に見つけることを可能とし、しかも、道具類を安全に保管・保持することが実現することができた。
【産業上の利用可能性】
【００１３】本考案のお道具バックにより、児童の整理・整頓に対する意識の向上と、補助教材を大切に保管・収納することにより、大切に道具を使用し、再利用をも認識させる複次効果が期待でき、児童の情操教育の一助となることが期待できる。
【図面の簡単な説明】
【００１４】
【図１】ａは本考案のお道具バックの物入口を、止め具ベルトにより閉塞した状態を示す斜視図  ｂは児童用机脚部に固定・保持するベルトの態様を示す平面図
【図２】本考案のお道具バックの内側収納ポケットの配置及び笛立ループの配置を示す平面図
【図３】本考案のお道具バックが児童机に吊り下げ固定された状態を示す斜視図
【符号の説明】
【００１５】Ｘ・・・・本考案、お道具バック
Ｙ・・・・児童机
Ｚ・・・・児童机脚部
１０・・・・本考案、お道具バック固定用ベルト
２０・・・・本考案、お道具バック固定用ベルトの固定支持部
１００・・・・本考案、お道具バックの両サイドまち部
１１０・・・・本考案、お道具バックの手提げベルト
【図１】
0003175311.tif 000003
【図２】
0003175311.tif 000004
【図３】
0003175311.tif 000005
(57)【要約】      （修正有）【課題】ボルトとナットのゆるみを防止するセットを提供する。【解決手段】ボルト１１の溝にワッシャの突起２１を結合して、左右回転が不可能となっているワッシャと、ボルトに結合したナット３１との結び部を針金で結んで固定する。【選択図】図５
0003175317.tif 000002
【実用新案登録請求の範囲】
【請求項１】
ボルトのねじ部に溝をつくり、物体を保持させたものに、ワッシャの円周部に結び部を持たせ、内円周部にボルトと溝に結合する内円周と突起をもたせたものと、ナットの外角部に結び部をつくりつけたものと、ナットの外辺部に、ワッシャの外円周部に結び部をもち、中円部にひっかけをもつワッシャを引っ掛けてもたせたものと、を結合させ、これらの結び部を結び具で結ぶ構成の、ボルトとワッシャのゆるみを防止するセット。
【考案の詳細な説明】
【技術分野】
【０００１】  本考案は、改造を加えたボルト・ワッシャ・ナットを組み合わせて針金で結んだ、ボルトとナットのゆるみを防止するセットに関するものである。
【背景技術】
【０００２】  物体を固定するボルトとナットにおいて、そのゆるみを確実に防止するセットは普及されていなかった。
【先行技術文献】
【特許文献】
【０００３】
【非特許文献】
【０００４】
【考案の概要】
【考案が解決しようとする課題】
【０００５】  従来、ボルト・ワッシャ・ナットを使って物体を固定する場合において、ナットを強く右回転してボルトに結合させたり、弾力ワッシャを用いたり、ナットの重連併用等の措置によっても、ナットとボルトのゆるみを確実に防止することはできなかった。
【課題を解決するための手段】
【０００６】  ボルトに溝を、ワッシャに突起と結び部を、ナットに結び部をつくり、ボルトの、溝にワッシャの突起を、ねじ部にナットのねじ部を結合させ、両結び部を針金で結んだ。
【考案の効果】
【０００７】  ボルトとナットのゆるみの有無を、結び部の状態を目視することで確認できる。
ナットの形状は六角形状のもののみに限定されない。
結び部を針金でしっかりと結んでボルトとナットのゆるみを確実に防止できる。
【図面の簡単な説明】
【０００８】
【図１】  ボルトの斜視略図
【図２】  突起ワッシャの斜視略図
【図３】  結び部つきナットの斜視略図
【図４】  結び部ひっかけナットの斜視略図
【図５】  第１実施例の横面略図
【図６】  第１実施例と第２実施例の重連併用を示す横面略図
【考案を実施するための形態】
【０００９】  ボルト１１の長さは、物体を保持しているボルトに、ワッシャとナットを結合して固定させるために必要で十分余裕のある長さとし、このボルトに先端から物体までより少し長めのねじ部をもつものを使用した。このねじ部には、ボルトの太さの半径の２分の１弱程の深さをもち、Ｖ字型やＵ字型等の形状をもつ溝１３をつくった。
【００１０】  ワッシャ２１の大きさはナット３１・５１の外周部より大きめにしてその内円周部にボルトの溝１３に結合する形状の突起２２をつくり、外円周部に針金をくくりつけるくびれ部や針金を通す穴（以下「結び部」という。）２３をもつもの（以下「突起ワッシャ」という。）２１をつくり、この結び部のそれぞれを一方の内側へ約６０度程曲げておくようにした。
【００１１】  三角形や四角形等のナット（仮に「鋭角ナット」という。）３１については、それぞれの外角部に「結び部」３３をつくりつけ、以下これを「結び部つきナット」３１ということとした。
【００１２】  ワッシャ４１の外円周部に「結び部」４３をもち、中円部に五角形や六角形等のナット（仮に「鈍角ナット」という。）５１のそれぞれの外円周部５２に結合する「ひっかけ」４２をもつもの（以下「ひっかけワッシャ」という。）４１をつくった。この「ひっかけワッシャ」のひっかけに「鈍角ナット」の外周辺部を結合させたもの（以下「結び部ひっかけナット」という。）５１をつくった。
【００１３】  結び具には柔軟性や強靭性に優れる針金６１を使用した。
【実施例】
【００１４】  ボルトに間接的に結び部をもたせるためにボルトのねじ部に溝をつくり、この溝１３に結び部２３をもつワッシャの突起２２を結合させることとした。この溝１３は、なるべくボルトの半径の２分の１以下の深さを限度として、ナットとボルトの結合する効果に及ぼす影響を少なくするようにした。【００１５】  物体を保持しているボルトの溝にワッシャの突起を結合して物体に密着させた状態ではワッシャは前進と左右回転は不可能となる。この状態を本考案の「基本形態」ということとした。【００１６】  鋭角ナット３１の外角部に結び部３３をつけた「結び部つきナット」を「基本形態」のボルトに結合して突起ワッシャを物体に固着させ、この結び部と突起ワッシャの結び部を結び具の針金で確実に結びつけたときに、「結び部つきナット」の左右回転は不可能となって、ボルトとナットのゆるみの発生は確実に防止される。以上の形態を本考案の第１実施例とする。【００１７】  鈍角ナット５１の外辺部に結び部とひっかけをもつワッシャ４１のひっかけを結合させた「結び部ひっかけナット」を「基本形態」のボルトに結合させて、結び具の針金で、「突起ワッシャ」と「結び部ひっかけナット」の両結び部を確実に結んだときに、前項の記述と同様の効果を得ることができる。以上の形態を本考案の第２実施例とする。【００１８】  この他にも、特に必要とするときは、突起ワッシャと第１実施例と第２実施例とを各様に組み合わせて重連併用できる。なお以上の各実施例においても、突起ワッシャの結び部（Ａ）とナットの結び部（Ｂ）とを結ぶときは、（Ａ）の位置よりも、ナットが左回転する方向にある（Ｂ）のうちで、より（Ａ）に近い位置にある（Ｂ）と（Ａ）とを結ぶこととした。
【符号の説明】
【００１９】０１  物体
１１  ボルト                    １２  ねじ部                １３  溝
２１  突起ワッシャ              ２２  突起                  ２３  結び部
３１  結び部つきナット          ３２  外角部                ３３  結び部
４１  ひっかけワッシャ          ４２  ひっかけ              ４３  結び部
５１  結び部ひっかけナット      ５２  外辺部
６１  結び具
【図１】
0003175317.tif 000003
【図２】
0003175317.tif 000004
【図３】
0003175317.tif 000005
【図４】
0003175317.tif 000006
【図５】
0003175317.tif 000007
【図６】
0003175317.tif 000008
(57)【要約】      （修正有）【課題】例えばトイレ、風呂場、レンジフードなどにおいて例えば換気扇のようにある程度の時間だけ作動させるものにおいては、わざわざ消しに行くのは誠に面倒であり、工事が簡単で且つ使いやすいタイマー付きスイッチを提供する。【解決手段】壁などに取り付けているスイッチにタイマー式スイッチを取り付け、枠に組み込むことにより消しに行く面倒くささ、消し忘れ防止の問題を解決する。【選択図】図１
0003175320.tif 000002
【実用新案登録請求の範囲】
【請求項１】
壁や柱などに埋め込まれている電気配線ボックスに取り付けて使用するスイッチであって、１つ以上のタイマー付きでないスイッチと１つ以上のタイマー付きスイッチを組み合わせて１つの取り付け枠に取り付けたものと前記スイッチを壁や柱などの表面に露出させるための開口部を有するプレートより構成されることを主な特徴とするスイッチ。
【請求項２】
壁や柱などに埋め込まれている電気配線ボックスに取り付けて使用するスイッチであって、１つ以上のタイマー付きスイッチを１つの取り付け枠に取り付けたものと前記スイッチを壁や柱のなどの表面に露出させるための開口部を有するプレートより構成されることを主な特徴とするスイッチ。
【考案の詳細な説明】
【考案の詳細な説明】
【技術分野】
【０００１】本考案は室内その他の壁面などに取り付けるタイマー付きスイッチに関する。
【背景技術】
【０００２】例えば室内のトイレ、浴室、レンジフードなどの壁面その他には照明用、換気扇用のスイッチが一箇所にまとめて取り付けられているが、換気扇用のスイッチにタイマー付きとなっていないのが現状である。室内以外についても事情は同様である。
【考案の開示】
【考案が解決しようとする課題】
【０００３】例えば室内のトイレにおいて用便後、臭気を消すために換気扇を作動させる場合において現状では換気扇用スイッチにタイマーがついていないため、換気扇を作動後しばらくして、わざわざ消しに行く必要があり誠に不便である。また消し忘れを生じることがある。これは電気代の無駄である。風呂場においては入浴後換気扇を作動させることにより水蒸気を排出することで浴室を乾燥させカビ、酵母、細菌の繁殖を抑制することが出来るのであるが上記トイレの場合と同じような不便さがあり、また消し忘れも問題となる。本考案は、このような不便さや消し忘れの問題を解決するために工事が簡単で且つ使いやすいスイッチを提供することを目的とするものである。
【課題を解決するための手段】
【０００４】上記課題を本考案においては照明などのように必ずしもタイマーが必要でないスイッチと換気扇などのようにタイマーが付いていた方が便利であるスイッチを同一取り付け枠に取り付け、これを電気配線ボックスに取り付け、各々のスイッチが表面に露出する開口部を設けたプレートを上記取り付け枠の表面に取り付けることにより解決した。
また照明なども消し忘れることがあることからタイマー付きスイッチを複数個取り付けたものであってもよいのである。
【考案の効果】
【０００５】以上説明したように本考案に関するスイッチによれば換気扇などをしばらく作動させた後わざわざ消しに行く必要がなく、また消し忘れることもなく誠に便利になるのである。
【実施例１】
【０００６】以下この考案を例示図を参照として説明する。
図１、図２、図３は請求項１に関する一実施例を示す斜視図である。
図１は例えばタイマーが付いていない照明用のいわゆるロッカスイッチと換気扇用などのダイアル式タイマースイッチを取り付けた使用状態を示す斜視図である。１はスイッチを露出する開口部を有する金属あるいはプラスチック製のプレートである。２は例えばロッカスイッチのようなタイマー式でないスイッチであるが、必ず下ロッカスイッチでなくてもよいのである。３はダイアル式タイマー付きスイッチであるがタイマー式であればよいのであってダイアル式でなくてもよいのである。図２は取り付け枠にタイマーが付いていないロッカスイッチとダイアル式タイマースイッチを取り付けた状態を示す斜視図である。
４は各スイッチを取りつけるための取り付け枠である。５、６は各スイッチを取り付けるためのネジを示している。実際の使用においては図２に示したものを電気配線ボックスに取り付けその上に図３のプレート１を被せて使用する。取り付け枠とプレートの間にいわゆるアダプターを設置してもよい。
【実施例２】
【０００７】図４、図５、図６は請求項１に関する一実施例を示す斜視図である。
図４は実施例１のダイアル式タイマー付きスイッチをスライド式タイマー付きスイッチ８に変えたものについての使用状態を示す斜視図である。図５は各スイッチを取り付け枠  １１に取り付けた状態を示す斜視図である。実際の使用においては図５に示したものを電気配線ボックスに取り付けその上に図６のプレート７を被せて使用する。取り付け枠とプレートの間にいわゆるアダプターを設置してもよい。
【図面の簡単な説明】
【０００８】
【図１】  実施例１の一実施例を使用状態で示す斜視図である。
【図２】  実施例１におけるスイッチ類を取り付け枠に取り付けた状態の一実施例を示す斜視図である。
【図３】  実施例１のプレートの一実施例を示す斜視図である。
【図４】  実施例２の一実施例を使用状態で示す斜視図である。
【図５】  実施例２におけるスイッチ類を取り付け枠に取り付けた状態の一実施例を示す斜視図である。
【図６】  実施例２のプレートの一実施例を示す斜視図である。
【符号の説明】
【０００９】１    実施例１におけるプレート
２    実施例１におけるタイマー式でない照明などのスイッチ
３    実施例１におけるダイアル式タイマー付きスイッチ
４    実施例１におけるスイッチ類の取り付け枠
５    実施例１におけるタイマー式でない照明などのスイッチ取り付け座
６    実施例１におけるタイマー付きスイッチの取り付け座
７    実施例２におけるプレート
８    実施例２におけるスライド式タイマー付きスイッチ
９    実施例２におけるタイマー式でない照明などのスイッチ取り付け座
１０  実施例２におけるタイマー付きスイッチの取り付け座
１１  実施例２におけるスイッチ類の取り付け枠
【図１】
0003175320.tif 000003
【図２】
0003175320.tif 000004
【図３】
0003175320.tif 000005
【図４】
0003175320.tif 000006
【図５】
0003175320.tif 000007
【図６】
0003175320.tif 000008
(57)【要約】      （修正有）【課題】杖の先端部と石突を螺着する構造として、ゴムがすり減った石突の交換作業を簡単に行うことができるようにした杖の石突を提供する。【解決手段】杖の石突１はその内部に、杖２の先端部２ａに形成された螺条３に着脱自在な螺条４が形成されている。また杖の先端部２ａにはマーキング５が、杖の先端部２ａの螺条３と石突内面の螺条４とが完全に螺着されると石突内面の螺条４に入り込む箇所に設けられている。これにより石突交換時に、マーキング５が見えなくなるまでまわせば、確実に取り付けられたことが容易に確認できるようにしている。この構造とすることで、完全にロックされていない状態で石突が使用時に脱落する事故を未然に防ぐ。【選択図】図１
0003175340.tif 000002
【実用新案登録請求の範囲】
【請求項１】
杖の先端部に形成された螺条に着脱自在な螺条を内面に形成してなることを特徴とする杖の石突。
【請求項２】
杖の先端部の、杖の先端部の螺条と石突内面の螺条とが完全に螺着されると石突内面の螺条に入り込む箇所にマーキングが設けられてなることを特徴とする杖。
【請求項３】
請求項１の杖の石突が杖の先端部に取り付けられた杖。
【考案の詳細な説明】
【技術分野】
【０００１】
本考案は、杖の石突に関し、特に、ゴムがすり減った石突の交換作業が簡単に行うことができる杖の石突に係るものである。
【背景技術】
【０００２】
杖の石突部分のゴムは地面と接触するためゴムがすり減った場合はこれを交換する必要があった。そして交換の際には、まずゴムの摩耗した石突を杖から取り外し、この使用中の石突の直径より少し小さな内径の交換用石突を選んでそのゴム部分を杖に圧嵌して装着していた。
【０００３】
しかしながら、上記のように石突の取り外し取り付けにはある程度の腕力を必要とするため、力の衰えたお年寄りなどには負担となっていたものである。しかし、つい億劫となって石突のゴムが摩耗したまま使い続けると、濡れた路面や凍結した路面などで滑りやすく、思わぬ事故につながる危険性があったものである。
【先行技術文献】
【特許文献】
【０００４】
【特許文献１】特開２０１１−３６４０２号公報
【考案の概要】
【考案が解決しようとする課題】
【０００５】
解決しようとする問題点は、ゴムがすり減った石突の交換作業が簡単に行うことができる杖の石突を提供することにある。
【課題を解決するための手段】
【０００６】
本考案に係る杖の石突は、杖の先端部に形成された螺条に着脱自在な螺条を石突内面に形成してなるものである。
また、杖の先端部の、杖の先端部の螺条と石突内面の螺条とが完全に螺着されると石突内面の螺条に入り込む箇所にマーキング設けられてなるものである。
さらにまた、上記の構成の杖の石突が杖の先端部に取り付けられた杖である。
【考案の効果】
【０００７】
本考案の杖の石突は、杖の先端部に形成された螺条に着脱自在な螺条を石突内面に形成してなるから、ゴムがすり減った石突の交換は、使用中の石突を回して螺条と螺条の螺合を解除して杖の先から外し、ついで交換用の石突を杖の先に嵌め回し、螺条と螺条の螺合により取り付けるから、さほどの力を必要とせず、腕力の衰えたお年寄りでも容易に行うことができ、石突の交換が苦にならない。
またこの場合において、杖の先端部にはマーキングが設けられているから、石突交換時に、マーキングが見えなくなるまでまわせば、杖の先端部の螺条と石突内面の螺条とが完全に螺着され確実に取り付けられたことが容易に確認でき、完全にロックされていない状態で石突が使用時に脱落する事故を未然に防ぐ。
【図面の簡単な説明】
【０００８】
【図１】図１は本考案に係る杖の石突を杖に取り付ける前の状態を示す実施例を示す要部概略図である。
【図２】図２は本案杖の石突を杖に取り付けた状態を示す実施例を示す概略図である。
【図３】図３は本案杖の石突が取り付けられた杖を示す正面図である。
【考案を実施するための形態】
【０００９】
杖の石突内面に、杖の先端部に形成された螺条に着脱自在な螺条を形成すればよい。
【実施例１】
【００１０】
図１ないし図３において、本考案に係る杖の石突１はその内部に、杖２の先端部２ａに形成された螺条３に着脱自在な螺条４が形成されている。
また杖の先端部２ａにはマーキング５が、杖の先端部２ａの螺条３と石突内面の螺条４とが完全に螺着されると石突内面の螺条４に入り込む箇所に設けられている。これにより石突交換時に、マーキング５が見えなくなるまでまわせば、確実に取り付けられたことが容易に確認できるようにしている。完全にロックされていない状態で石突が使用時に脱落する事故を未然に防ぐためである。
【００１１】
尚、本考案は上記実施例において杖の石突に適用したが、もちろん傘兼用杖にも適用できる。また、杖と石突とが螺合により着脱自在である限りどのような構成であってもよく、例えば、杖の先端部に備える螺条について、一端部は杖の先端内部に固着され他端部に前記螺条が固着された筒状連結部材を使用してもよい。
また上記実施例においては、マーキングとして帯印刷を施したが、マーキングとして機能する限り、印刷手段に限定されることなく、どのような技術手段によってマーキングを設けるようにしてもよい。マーキングの形状や模様なども任意に選択すればよい。
【産業上の利用可能性】
【００１２】
本考案の杖の石突は、杖の先端部に形成された螺条に着脱自在な螺条を石突内面に形成してなるから、ゴムがすり減った石突の交換は、使用中の石突を回して螺条と螺条の螺合を解除して杖の先から外し、ついで交換用の石突を杖の先に嵌めて回し、螺条と螺条の螺合により取り付けるので、さほどの力を必要とせず、腕力の衰えたお年寄りでも容易に行うことができ、石突の交換が苦にならない。
また杖の先端部にはマーキングが設けられているから、石突交換時に、マーキングが見えなくなるまでまわせば、杖の先端部の螺条と石突内面の螺条とが完全に螺着され確実に取り付けられたことが容易に確認できる効果が得られ、完全にロックされていない状態で石突が使用時に脱落する事故を未然に防ぐことができる。
【符号の説明】
【００１３】
１    杖の石突
２    杖
２ａ  杖の先端部
３    螺条
４    螺条
５    マーキング
【図１】
0003175340.tif 000003
【図２】
0003175340.tif 000004
【図３】
0003175340.tif 000005
(57)【要約】      （修正有）【課題】フラワーアレンジが花材を痛めず効率的に進められ、仕上がりも美しくピンセットに接着剤が付着しても、数秒で常温になり花材がまとわりつかず、するりとはずれるピンセットを提供する。【解決手段】シリコン樹脂でコーティングされたピンセットを実現した。シリコン樹脂はグルーというプラスチック樹脂の接着剤がついても、常温で簡単に剥がれ落ちる性質の素材である。これによって、フラワーアレンジをする際、接着剤は花材にのみ有効となり、ピンセットに付着したとしても、花材に影響しない。【選択図】図１
0003175333.tif 000002
【実用新案登録請求の範囲】
【請求項１】
シリコン樹脂でコーティングされたピンセット
【考案の詳細な説明】
【技術分野】
【０００１】
本考案は、ドライフラワー、アートフラワー、プリザーブドフラワーをアレンジするためのピンセットに関するものである。
【背景技術】
【０００２】
従来、生花ではない花をアレンジする場合、グルーというプラスチック樹脂を接着剤として使用するのであるが、誤まってピンセットに接着剤がつくと、花材がピンセットからはなれず、目的の場所に接着できない。
【先行技術文献】
【特許文献】
【０００３】
【特許文献１】特になし
【非特許文献】
【０００４】
【非特許文献１】特許電子図書館にて類似の実用新案を検索。同一例はありませんでした
【考案の概要】
【考案が解決しようとする課題】
【０００５】
ドライフラワー、プリザーブドフラワー、アーティフィシャルフラワーなど、生花ではない素材のフラワーをアレンジする際に、グルーというプラスチック樹脂を高温で溶かしたものを接着剤として使用する。グルーは数秒ほどで、常温になり、プラスチックの固形にもどることによって花材同士を接着させるものである。細かい作業はピンセットを利用しているのであるが、花材をピンセットに挟んだ状態で、接着が花材だけでなく、間違ってピンセットにもついてしまうこともあり、その場合はピンセット本体に花材がまとわりついて、離れない。付着に気付かないまま、目指す位置に置いても、ピンセットについて花材が戻ってきてしまうことも多々あり、ピンセットにまとわりついた部分の花材だけが、ずれたり、ちぎれたりする
【課題を解決するための手段】
【０００６】
そこでシリコン樹脂でコーティングされたピンセットを考案した。シリコン樹脂はグルーというプラスチック樹脂の接着剤がついても、常温で簡単に剥がれ落ちる性質の素材である。これによって、フラワーアレンジをする際、接着剤は花材にのみ有効となり、ピンセットに付着したとしても、スムーズに剥がれ落ちるので、花材への影響はなくなる。
【考案の効果】
【０００７】
フラワーアレンジが花材を痛めず、効率的に進められる。仕上がりも美しい。ピンセットに接着剤が付着しても、数秒で常温になり花材がまとわりつかず、ピンセットのみ、するりとはずれる。
【図面の簡単な説明】
【０００８】
【図１】図１はコーティングしたピンセットの形状写真である。
【図１】
0003175333.tif 000003
(57)【要約】      （修正有）【課題】細長い溝状の音響空洞を設けることで、リード付近のボディーの肉厚がより均等に薄くなり、ボディーの反響による音の響きが大きく、良くなり、かつ全体として軽量化を可としたクロマチックハーモニカを提供する。【解決手段】ボディー１の底面に、長手方向の中心線に沿って音響空洞５を形成しており、音響空洞５の高音部側の幅より低音部側の幅が小さく、該幅は２〜８ｍｍであり、マウスピース方向への深さは１０〜３０ｍｍである細長い溝状の音響空洞５とする。【選択図】図２
0003175350.tif 000002
【実用新案登録請求の範囲】
【請求項１】
ボディーの底面に、長手方向の中心線に沿って音響空洞を形成しており、音響空洞の高音部側の幅より低音部側の幅が小さく、該幅は２〜８ｍｍであり、マウスピース方向への深さは１０〜３０ｍｍである細長い溝状の音響空洞であることを特徴とする音響空洞付きスライド式クロマチックハーモニカ。
【考案の詳細な説明】
【技術分野】
【０００１】
本考案は、半音切り替え可能なスライド式クロマチックハーモニカに関するものである。
【背景技術】
【０００２】
スライド式クロマチックハーモニカは、音を発生させる多数のリードを備えたリードプレートを固定させるボディーおよびそのリードプレートを保護しているカバーによって音を反響させ、音の大きさや音の響きが変化する。音の大きさや音の響きは、ボディーやカバーの形状、厚さ、材質でも異なる。
【先行技術文献】
【特許文献】
【０００３】
【特許文献１】実用新案登録第３１５１２００号公報
【考案の概要】
【考案が解決しようとする課題】
【０００４】
通常のスライド式クロマチックハーモニカの音は、マウスピースの穴から吹き吸いする空気がリードを通過し、リードが振動することによってボディーとカバーに音が反響し、音の大きさや音の響きが変化する。その反響による響きはリード付近のボディーの厚さおよび形状、ボディーの重量および材質によって変化する。通常のスライド式クロマチックハーモニカはリード付近のボディーの厚さが場所によってそれぞれ大きく異なり、厚い部分は約５ｍｍ〜１０ｍｍ以上にも達し、ボディーの材質によっては重量も重くなる。これによりボディーの反響による音の響きが低減すると同時に長時間持って演奏すると疲れるという欠点があった。
【課題を解決するための手段】
【０００５】
ボディーの底面に、長手方向の中心線に沿って音響空洞を形成しており、音響空洞の高音部側の幅より低音部側の幅が小さく、該幅は２〜８ｍｍであり、マウスピース方向への深さは１０〜３０ｍｍである細長い溝状の音響空洞である。以上の構成よりなる音響空洞付きスライド式クロマチックハーモニカ。
【考案の効果】
【０００６】
（イ）複雑な形状をしたスライド式クロマチックハーモニカのボディーに取り付けられたリード付近の肉厚は、５〜１０ｍｍ以上もあり均等ではない。
（ロ）本考案は、細長い溝状の音響空洞を設けることで、リード付近のボディーの肉厚がより均等に薄くなり、ボディーの反響による音の響きが大きく、良くなる。
（ハ）さらに音響空洞の底面が解放されているため、反響した音の響きがボディーにこもることなくクリアな音を出すことができる。
（ニ）さらに音響空洞によってボディーの重量が軽くなり、本考案の音響空洞付きスライド式クロマチックハーモニカを長時間持って演奏しても疲れにくい効果がある。
【図面の簡単な説明】
【０００７】
【図１】通常のスライド式クロマチックハーモニカの斜視図
【図２】本考案の斜視図
【図３】通常のスライド式クロマチックハーモニカの底面から見た斜視図
【図４】本考案の断面図
【考案を実施するための形態】
【０００８】
以下、本考案の実施の形態を説明する。
ボディー（１）の底面に、長手方向の中心線に沿って音響空洞（５）を形成しており、音響空洞（５）の高音部側の幅より低音部側の幅が小さく、該幅は２〜８ｍｍであり、マウスピース（６）方向への深さは１０〜３０ｍｍである細長い溝状の音響空洞（５）である。
本考案は以上のような構造である。
【０００９】
これを実際に使用する方法は、通常のスライド式クロマチックハーモニカを使用する時と全く変わることはない。図２、図３、図４で示すように、スライド式クロマチックハーモニカは、マウスピース（６）の穴から吹き吸いする空気がリード（４）を通過し、リード（４）が振動することによってボディー（１）とカバー（２）に音が反響し、音の大きさや音の響きが発生する。ボディー（１）の反響による音の響きは、リード（４）付近のボディー（１）の厚さおよび形状、ボディー（１）の重量および材質によって変化する。図３で示すように、通常のスライド式クロマチックハーモニカはリード（４）付近のボディー（１）の厚さが場所によってそれぞれ大きく異なり、厚い部分は約５ｍｍ〜１０ｍｍ以上にも達し、ボディー（１）の材質によっては重量も重くなる。これにより反響による音の響きが低減すると同時に、スライド式クロマチックハーモニカを長時間持って演奏すると疲れるという欠点があった。本考案は、図２と図４に示すように、ボディー（１）の底面から上方向即ちマウスピース（６）の方向に細長い溝状の音響空洞（５）を設けることで、ボディー（１）のリード（４）付近の肉厚がより均等に薄くなり、ボディー（１）の反響による音の響きが大きく、良くなる。さらにボディー（１）に設けた音響空洞（５）により、ボディー（１）の重量が軽くなり、本考案の音響空洞付きスライド式クロマチックハーモニカを長時間保持して演奏ししても疲れにくい効果がある。
【符号の説明】
【００１０】
１    ボディー
２    カバー
３    リードプレート
４    リード
５    音響空洞
６    マウスピース
【図１】
0003175350.tif 000003
【図２】
0003175350.tif 000004
【図３】
0003175350.tif 000005
【図４】
0003175350.tif 000006
(57)【要約】      （修正有）【課題】飛行機の飛行中の高度を体感できるパイロット用座席を提供する。【解決手段】飛行機のパイロット用座席の内部に、外気圧によって縮小したり、膨張したりするエアーマットを配し、更に、エアーマットと飛行機外とを連通させ、飛行機外の外気圧を得る構造とする。【選択図】図１
0003175746.tif 000002
【実用新案登録請求の範囲】
【請求項１】
飛行機のパイロット用座席の中にエアーマットを入れ図▲１▼の▲ウ▼により外圧と座席の中の気圧を同一化させたパイロット用座席
【考案の詳細な説明】
【技術分野】
【０００１】
【背景技術】
【０００２】
【考案の開示】
【考案の詳細な説明】
従来飛行中のパイロットの人は飛行機の高度を測るのに知るのに高度計を頼りにしていました。
それを体でも体感出来るように図▲１▼の▲ウ▼により外圧と一体化したエアーマット▲イ▼により高度が上がると外気圧が下がる為に膨らみ高度が下がると外気圧が上がる為に縮小、元の大きさに戻るようなエアーマットを入れる。
【考案の効果】
今まで主に高度計を頼りに飛行していましたが、座席の図▲１▼の▲イ▼のエアーマットにより体感出来るようになる。
【図面の簡単な説明】
【図１】  図▲１▼はパイロット用座席の断面略図  ▲ア▼はパイロットの座席  ▲イ▼はパイロットの座席に組み込まれたエアーマット  ▲ウ▼は外気圧取り出し出入り口
【図１】
0003175746.tif 000003
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
外気圧、空気圧によって膨張したり、縮小したりするエアーマットを、飛行機の操縦席の内側内部に入れたエアーマット
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
ゴム状の物体の中に気体を入れる事により外気圧、空気圧により縮小したり膨張したりする物を飛行機の操縦席の中に組み込み、飛行機外の気圧と連動させる。
【手続補正書】
【提出日】平成24年3月2日(2012.3.2)
【手続補正１】
【補正対象書類名】実用新案登録請求の範囲
【補正対象項目名】全文
【補正方法】変更
【補正の内容】
【実用新案登録請求の範囲】
【請求項１】
外気圧、空気圧によって縮小したり膨張したりするエアーマットを飛行機のパイロット用座席の内部に組み込み、飛行機パイロット用座席の内部と飛行機外とを連通させたことを特徴とするパイロット用座席。
(57)【要約】      （修正有）【課題】落し蓋がなく、容器の大きさや形状に対応でき、収納が容易な漬物重石を提供する。【解決手段】水を通さず科学的に安定し強度と柔軟性を兼ね備えた材質の材料で、開口部のある袋状のものを作り、その中に漬物材料の種類や量に適した重さの液体または粒子状の物質を入れて、開口部を閉じる。【選択図】図１
0003175742.tif 000002
【実用新案登録請求の範囲】
【請求項１】
水を通さず科学的に安定し強度と柔軟性を兼ね備えた材質の材料で、開口部のある柔軟な袋状のものを作り、その中に開口部より漬物材料の種類や量に応じた適量の重さの液体または粒子状の物質を入れ、開口部を閉じて漬物重石とするものである。
【考案の詳細な説明】
【技術分野】
【０００１】
本考案は漬物に重石をかける作業を容易にし、且つ効果的に重石をかける事を考案してものである。
【背景技術】
【０００２】
従来、漬物に重石をかける場合，石など固形の物体を落し蓋の上に乗せていた。
【０００３】
漬物の内容や量によってかける最適な重さが変わり、その対応のために何種類かの重石を用意しなければならず、その収納が問題であった。
【０００４】
落し蓋の上に重石を乗せた漬け方では、漬物に重さが均一に伝わり難く、落し蓋に合った漬物容器を用意しなければならなかった。
【先行技術文献】
【特許文献】
【０００５】
【特許文献１】実用新案公開平６−３１４８０
【特許文献２】実用新案出願平６−３７９４
【考案の概要】
【考案が解決しようとする課題】
【０００６】
多種多様な漬物を漬ける場合に、その漬物に最適な漬物重石の重量に、簡単に調節できる事。
【０００７】
漬物材料に均一に重圧がかけられる事。
【０００８】
落し蓋が無いため漬物容器の形状・大きさが比較的自由に選べる事。
【０００９】
重石として使用しない場合の収納を容易にする事。
【課題を解決するための手段】
【００１０】
本考案は、水を通さず科学的に安定し強度と柔軟性を併せ持つ材料で開口部のある袋状の物を作り、適当量の液体または粒子状の物を入れて漬物重石とするものである。
【考案の効果】
【００１１】
多種多様な漬物を漬ける場合に、中に入れる液体または粒子状の物質の量を調節して、その漬物にあった重さの漬物重石に出来るという利点がある。
【００１２】
落し蓋をせずに柔軟な袋状の重石を直接漬物材料に接することで、袋の内容物が液体の場合はパスカルの原理により、材料に均一に重圧がかかると言う利点がある。袋の内容物が粒子状の場合もそれに近い効果があると考えられる。
【００１３】
落し蓋が無く、柔軟な袋状の漬物重石であるから、容器の大きさや形状には柔軟な対応が出来るという利点がある。
【００１４】
漬物重石として使用しない場合，中の液体や粒子状の物質を抜き出せば軽量になり、柔軟な袋であるから小さく折りたため、収納が容易であるという利点がある。
【図面の簡単な説明】
【００１５】
【図１】本考案の漬物重石の実施例の斜位図と断面図である。
【図２】本考案の漬物重石の蓋をしていない状態の構造を示す斜位図と断面図である。
【図３】本考案の漬物重石の蓋をした状態の構造を示す斜位図と断面図である。
【図４】本考案の漬物重石の袋の中に液体または粒子状の物質を入れた状態の構造を示す斜位図と断面図である。
【産業上の利用可能性】
【００１６】
漬物業者が大量の漬物を漬ける場合、漬物重石の重量も大きくなり、取り扱いは重労働であるが、本考案の漬物重石を使用すれば、漬物材料の上に袋を乗せた後に適量の液体を送り込み重石とし、重石を取り除く場合は袋の中の液体をポンプ等で抜き取ることにより軽量になって容易に取り除け、作業が軽減される。
【符号の説明】
【００１７】
１  柔軟な袋
２  蓋
３  液体または粒子状の物質
４  漬物材料
５  漬物容器
６  漬物重石
【図１】
0003175742.tif 000003
【図２】
0003175742.tif 000004
【図３】
0003175742.tif 000005
【図４】
0003175742.tif 000006
(57)【要約】      （修正有）【課題】上着の襟元から、下に着ている衣服が見えてしまうことを防ぐ器具を提供する。【解決手段】ブラジャー、シャツ等の下着をクリップで固定し、クリップの軸を伸ばし、もう一方には、上着の前後の身ごろの縫い代部分を挟み込むクリップを取り付けることで、下着が上着の襟元から見えてしまうのを防げる。ブラジャー、シャツ等の下着は固定され、上着は縫い代をはさんだ片方のクリップに固定されるので、下着が上着の外から見える位置まで出てこなくなり、見苦しくなくなる。【選択図】図１
0003175749.tif 000002
【実用新案登録請求の範囲】
【請求項１】
後ろ身ごろと前身ごろを縫うための縫い代をクリップで挟む点。また、下着、紐等の外に見せたくない部分をクリッフ゜で挟み隠す点
【考案の詳細な説明】
【考案の概要】
【課題を解決するための手段】
【０００１】
ブラジャー、シャツ等の下着を木、布、革、プラスティック、金属で作製したクリップで固定し、クリップの軸を伸ばし、もう一方には、上着の前後の身ごろの縫い代部分を挟み込むクリップを取り付ける
【考案の効果】
【０００２】
下着は外から見えないようにしたいし、外から見えると見苦しい。
そこでブラジャー、シャツ等の下着の首側の端をクリップで押さえる。そしてクリップの軸の先を伸ばし、伸ばした一方には、クリップをつけ上着の前後の身ごろを縫い付けた縫い代をはさみ、固定するようにした。身ごろをはさむクリップの位置は、外から見えない位置に任意ではさむようにする。
そうすると、ブラジャー、シャツ等の下着は固定され、上着は縫い代をはさんだ片方のクリップに固定されるので、下着が上着の外にから見える位置まで出てこなくなり、見苦しくなくなる
【図面の簡単な説明】
【０００３】
【図１】ブラジャー、シャツ等の下着の首側の端をクリップで挟んで押さえる。そしてクリップの軸の先を伸ばし、伸ばした一方には、 またクリップをつけ上着の前後の身ごろを縫い付けた縫い代をはさみ、固定するようにした。身ごろをはさむクリップの位置は、外から見えない位置に任意ではさむようにする。そうすると、ブラジャー、シャツ等の下着は固定され、上着は縫い代をはさんだ片方のクリップに固定されるので、下着が上着の外にから見える位置まで出てこなくなり、見苦しくなくなる
【図１】
0003175749.tif 000003
【手続補正書】
【提出日】平成24年1月19日(2012.1.19)
【手続補正１】
【補正対象書類名】実用新案登録請求の範囲
【補正対象項目名】全文
【補正方法】変更
【補正の内容】
【実用新案登録請求の範囲】
【請求項１】
木、革、布、プラスティック、金属のいずれかからなる二個のクリップの、一方のクリップの片側のつまみを伸ばし、伸ばした先端にもう一方のクリップを設けたことを特徴とするクリップを利用した布地を押さえる器具。
(57)【要約】      （修正有）【課題】病気で発熱した人の体温と室内温度との差により、頭部を冷やすことができる枕を提供する。【解決手段】スポンジ加工し水を含ませたウレタン材３をポリ袋２の中に入れ、アルマイト処理をしたアルミ板１と接着し、枕カバー５で覆う。この構造により、体温を水を介してアルミ材１で放熱する。スポンジ加工したウレタン材３と含ませた水で頭部を支えることになり、宙に浮いた様な快適性を具現することができる。【選択図】図１
0003175748.tif 000002
【実用新案登録請求の範囲】
【請求項１】
ポリ袋の中にウレタン材のスポンジに水を含ませ水がもれないにしてアルミ板に接着し枕のカバー（布製）で覆い、これを枕とし頭がアルミ板にさわらぬようにウレタン材（スポンジ）と水で頭を支えて宙に浮いた水と空気とで調整した枕。
【考案の詳細な説明】
【技術分野】
【背景技術】
【０００１】枕には色々な種類もある。【０００２】
【考案文献１】
【考案が解決しようとする課題】
【０００３】本考案は
睡眠時を一定温度で水を通してアルミ材で放熱、
【０００４】
【課題を解決するための手段】
【０００５】考案は病気で熱が出た人の体温が例えば３８度以上の人の場合、室内の温度が２５度であればそこに１３度の差で冷やす効果がある。
【考案の効果】
【０００６】睡眠時を一定温度で水を通してアルミ材で放熱、
ウレタンとスポンジと水で頭を支えて宙に浮いたような快適な効果がある。
【図面の簡単な説明】
【０００７】図▲１▼はアルミ板（アルマイトメッキを施したもの）
材料はポリエチレン袋で、ウレタン材に▲３▼を入れたもの。
▲４▼は両面テープ▲３▼のポリ袋を▲１▼のアルミ材と接着。
▲５▼ウレタン材（スポンジ加工したもの）水を含ませたもの。
【考業を実施するための形態】
【０００８】上述の実施例は本考案の好適な実施の一例ではあるが、これに限定されるものではなく本考案の要旨を逸脱しない範囲においては種々変形の実施も可能である。
【実施例１】
【０００９】以下、本考案の構成を図面に示す実施例に基づいて詳細に説明する。
【産業上の利用可能性】
【００１１】宇宙枕は一般の人から病院の患者に医学的にも利用性は十分に可能である。
【符号の説明】
【００１２】［図１］本考案    宇宙枕の立体図
［図２］本考案    宇宙枕の正面図
［図３］本考案    宇宙枕の側面図
１→    アルミ板（放熱材）
２→    ポリ袋
３→    ウレタン材（スポンジ）、
４→    両面テープ
５→    枕のカバー（布製）で覆い、
【図１】
0003175748.tif 000003
【図２】
0003175748.tif 000004
【図３】
0003175748.tif 000005
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
ポリ袋の中にウレタン材のスポンジに水を含ませ水がもれないにしてアルミ板に接着し一定温度で水を通してアルミ材で放熱、水と空気とで調整した枕。
【手続補正３】
【補正対象書類名】明細書
【補正対象項目名】０００７
【補正方法】変更
【補正の内容】
【０００７】
【図１】本考案の立体図
【図２】本考案の正面図
【図３】本考案の側面図
【手続補正書】
【提出日】平成24年2月29日(2012.2.29)
【手続補正１】
【補正対象書類名】実用新案登録請求の範囲
【補正対象項目名】全文
【補正方法】変更
【補正の内容】
【実用新案登録請求の範囲】
【請求項１】
水を含ませたウレタン材をポリ袋の中に入れてアルミ板に接着し、枕カバーにて覆ったことを特徴とする枕。
(57)【要約】      （修正有）【課題】屋根に堆積した枯木や枯葉が雨水と共に雨樋に流入することを防ぎ、枯木等が堆積しにくい雨樋用フィルターを提供する。【解決手段】板体の表面全面に短手方向に沿って筋状の突起を複数設けるとともに、各突起間に無数の微細なＵ字状のスリット貫通穴をあけて、全体を短手方向に傾斜した曲面状に成形した。【選択図】図１
0003175750.tif 000002
【実用新案登録請求の範囲】
【請求項１】
固形物をスムーズに排除し、雨水のみをすみやかに透過する突起を形成した曲面状の無数の微細なスリット穴のあいたフィルター
【考案の詳細な説明】
【技術分野】
【０００１】  本考案は、雨水と共に雨樋に流入し、竪樋を詰まらせる原因となっている小枝、枯葉や種子などを除去するフィルターを雨樋全面に取付け、またこのフィルター上にも堆積しにくいようにしたものである。
【背景技術】
【０００２】
【先行技術文献】
【０００３】  特許公開平０７−２５９２７６雨樋用目詰まり防止装置においては、フィルター受水面に停まる落葉等を除去するとしているのに対し、本考案ではフィルター受水面そのものに固形物が堆積しにくく、固形物と共に流入する雨水のみを透過する形態となっているので、特許公開平０７−２５９２７６雨樋用目詰まり防止装置とはまったく考えを異にするものである。
【考案の概要】
【考案が解決しようとする課題】
【０００４】  樹木が多い地域に建てられた家屋の雨樋には、枯木や枯葉、その細かくなった樹皮などが流入し、それらがすべて竪樋に流れ込み、竪樋の詰まりの原因となっていた、と同時にフィルター上に固形物が堆積し、フィルター機能が損なわれるばかりでなく、美観上からも好ましくなくこれらの課題を解決しようとしたものである。
【課題を解決するための手段】
【０００５】  雨樋に雨水と共に流入する枯葉、枯木や樹皮片などの固形物を選択的に除去する突起をつけた曲面状の、微細な貫通スリット穴をあけた板（フィルター）を取付け具で雨樋全面に傾斜をつけて取付け、フィルター面に固形物が堆積しにくいよう、枯葉などがフィルター面をふさがないよう雨水のみを透過するようにした。また横幅のサイズが異なる雨樋の幅にフィットするように取付け具の接続部を可動できるものとした。
【考案の効果】
【０００６】  屋根面に堆積した枯木や枯葉が雨水と共に雨樋に流入しても竪樋の詰まりの原因となっていた固形物は本考案のフィルターを透過できず、また曲面状のフィルター面には傾斜がついているので堆積もせず従って雨樋には雨水のみが流入し、竪樋の詰まりは解消する。
【考案を実施するための形態】
【０００７】  以下考案の実施の形態について説明する。
図１本考案の雨樋フィルターを雨樋６に取付けた様子を示す。フィルター面１は、曲面状で、突起２をつけた全面に無数の微細な貫通スリット穴３をあけてある。フィルター面を曲面状とすることで受水面積を広げることができ、固形物が堆積しにくくなり、突起を設けることで雨に濡れた枯葉がフィルター面に密着し、雨水の透過を妨げない効果がある。
【０００８】  取付け具４は取付け具５よりも長くしてあり、接続部が可動できるようにしてある。フィルター面を傾斜させているのは固形物のすみやかな排除のためと雨水の迅速な透過を促すためである。更に取付け具の接合部を可動できるものとしたのは雨樋の幅のサイズが異なる場合にもフィットさせるためである。
【図面の簡単な説明】
【０００９】
【図１】  斜視図
【図２】  正面図
【図３】  右側面図
【図４】  左側面図
【図５】  平面図
【図６】  背面図
【図７】  底面図
【符号の説明】
【００１０】［図１］  １  フィルター面
２  突起
３  無数の微細な貫通スリット穴
４  取付け具（取付け具５より長く、接合部は可動できる）
５  取付け具（雨樋の縁に取付ける）
６  雨樋
【図１】
0003175750.tif 000003
【図２】
0003175750.tif 000004
【図３】
0003175750.tif 000005
【図４】
0003175750.tif 000006
【図５】
0003175750.tif 000007
【図６】
0003175750.tif 000008
【図７】
0003175750.tif 000009
【手続補正書】
【提出日】平成23年12月27日(2011.12.27)
【手続補正１】
【補正対象書類名】実用新案登録請求の範囲
【補正対象項目名】全文
【補正方法】変更
【補正の内容】
【実用新案登録請求の範囲】
【請求項１】
雨樋のつまりの原因は、雨水とともに雨樋に流入する枯葉や枯木などの固形物が竪樋の入り口付近に堆積し水の流れを阻害しているためであった。
そこで雨樋に雨水のみを流し、固形物を排除する以下の考案をした。
「アルミニュウム薄板等の金属の表面全面に筋状の突起を設けるとともに無数の微細なＵ字状のスリット貫通穴をあけて、これを曲面状に成形して雨樋用フィルター」とし、雨樋の開口部全面に取付け具で取付ければ雨水は微細なスリット貫通穴を透過して雨樋を流れるが枯葉や枯木などの固形物は分離され、滑りやすい曲面状の形状のため本雨樋用フィルター上に堆積せず排除される。
【手続補正書】
【提出日】平成24年2月27日(2012.2.27)
【手続補正１】
【補正対象書類名】実用新案登録請求の範囲
【補正対象項目名】全文
【補正方法】変更
【補正の内容】
【実用新案登録請求の範囲】
【請求項１】
板体の表面全面に短手方向に沿って筋状の突起を複数設けるとともに、各突起間に無数の微細なＵ字状のスリット貫通穴をあけて、全体を短手方向に傾斜した曲面状に成形したことを特徴とする雨樋用フィルター。